(57)【要約】【課題】この発明は、簡易な構成で、信頼性の高い安定したリール着脱操作を実現したうえで、手に馴染んだ安定した握持操作を実現し得るようにすることにある。【解決手段】移動フード１３におけるリールシート本体１０のリール取付脚載置面１０１に対向する部位に複数の挿通孔１３１を設けると共に、移動フード１３にリール９の取付脚９１に当接される保護部１７１、及び先端に滑り止め部１７３を有した複数の凸部１７２が設けられる保護部材１７を内装して、その凸部１７２を移動フード１３の挿通孔１３１に挿入させるようにして、その保護部１７１で、装着されたリール９の取付脚９１を保護すると共に、その凸部１７２で移動フード１３の挿通孔１３１に対して位置規制して抜け防止を実行し、且つ、その滑り止め部１７３で握持時における滑りを防止して手に馴染む握持を可能に構成した。【選択図】      図２
2005185194.tif 000002
【特許請求の範囲】
【請求項１】
竿管に外装され、リールの取付脚が載置されるリール取付脚載置面が設けられたリールシート本体と、
このリールシート本体のリール取付脚載置面を挟んで対向配置され、該リール取付脚載置面に載置された前記取付脚の両端を保持する一方が他方に接離自在に設けられた一対のフードと、
前記一対のフードの少なくとも一方側における前記リールシート本体のリール取付脚載置面側に設けられる複数の挿通孔と、
前記一対のフードの少なくとも一方側に内装されて前記リールの取付脚に当接される保護部及び前記複数の挿通孔に嵌合される先端に軟質部を有した複数の位置規制突部が設けられた保護部材と、
を具備したことを特徴とするリールシート。
【請求項２】
前記複数の挿通孔及び前記複数の位置規制突部は、竿軸方向に所定の間隔に設けられることを特徴とする請求項１記載のリールシート。
【請求項３】
前記位置規制突部は、先端部が前記挿通孔の深さ方向の中間部に位置され、前記軟質部の先端が前記挿通孔に面一、あるいは突出して配されることを特徴とする請求項１又は２記載のリールシート。
【発明の詳細な説明】
【技術分野】
【０００１】
この発明は、魚釣用釣竿に用いられるリールシートに関する。
【背景技術】
【０００２】
従来より、魚釣用釣竿においては、リールを装着するためのリールシートが設けられている。このリールシートは、竿管に取付けられるリールシート本体に固定フードと、該固定フードに対向して竿軸方向に移動自在に移動フードが設けられている。そして、このようなリールシートは、リールを装着する場合には、その固定フードに対してリールの取付脚の一方端が挿入され、この状態で、移動フードを移動調整してリールの取付脚の他方端を固定することで、リールの竿管への取付けが行われる。このリールシートとしては、レバーの起状操作によって、その移動フードを竿軸方向に移動、あるいは固定するレバー式や、ナット部材により、移動フードを竿軸方向に移動、あるいは固定するナット式等の各種の方式のものが知られている。
【０００３】
ところで、このようなリールシートには、リール着脱操作を考慮して、そのプラスチック製の固定フード及び移動フードに凸部を形成して、この凸部を利用してこれら固定フード及び移動フードを、金属製の枠内に内装することにより、リール着脱にともない固定フード及び移動フードが枠内から抜けないように組付けるようにしたフード取付構造のものがある（例えば、特許文献１参照）。これら固定フード及び移動フードが内装される枠は、釣り人が握持して、所望の釣り動作を行うために、その外壁部に滑り止め部材が被着されて安定した握持が可能に構成される。
【特許文献１】実開昭５７―１８７０６４号公報
【発明の開示】
【発明が解決しようとする課題】
【０００４】
しかしながら、上記リールシートでは、リール着脱に伴う安定した保護を実現することが可能であるが、手に馴染む握持を実現するために、さらに、握持時の滑りを防止する滑り止め部材を被着したりしなければならないことで、構成部品点数が増加されるという不都合を有する。
【０００５】
この発明は、上記の事情に鑑みてなされたもので、構成簡易にして、信頼性の高い安定したリール着脱操作を実現し得、且つ、手に馴染んだ安定した握持操作を実現し得るようにしたリールシートを提供することを目的とする。
【課題を解決するための手段】
【０００６】
この発明は、竿管に外装され、リールの取付脚が載置されるリール取付脚載置面が設けられたリールシート本体と、このリールシート本体のリール取付脚載置面を挟んで対向配置され、該リール取付脚載置面に載置された前記取付脚の両端を保持する一方が他方に接離自在に設けられた一対のフードと、前記一対のフードの少なくとも一方側における前記リールシート本体のリール取付脚載置面側に設けられる複数の挿通孔と、前記一対のフードの少なくとも一方側に内装されて前記リールの取付脚に当接される保護部及び前記複数の挿通孔に嵌合される先端に軟質部を有した複数の位置規制突部が設けられた保護部材とを備えてリールシートを構成した。
【０００７】
上記構成によれば、保護部材は、その位置規制突部がフードの挿通孔に挿入されて内装されると、その保護部で、装着されたリールの取付脚を保護すると共に、その位置規制突部でフードの挿通孔に対して位置規制して抜け防止を実行し、且つ、その軟質部で握持時における滑りを防止して手に馴染む握持を可能とする。これにより、保護部材の位置規制突部を、フードの挿通孔に挿入するだけの構成で、保護部材の位置規制と滑り止めの双方の機能が実現され、構成部品点数の軽減を図ることができる。
【発明の効果】
【０００８】
この発明によれば、構成簡易にして、信頼性の高い安定したリール着脱操作を実現し得、且つ、手に馴染んだ安定した握持操作を実現し得るようにしたリールシートを提供することができる。
【発明を実施するための最良の形態】
【０００９】
以下、この発明の実施の形態について、図面を参照して詳細に説明する。
【００１０】
図１及び図２は、この発明の一実施の形態に係るリールシートを示すもので、図１は、側面から見た状態を示し、図２は、リール脚載置面側から見た状態を示す。即ち、リールシート本体１０は、竿管１１の所定の位置に、例えば接着剤を用いて接着されて外装される。このリールシート本体１０は、例えば筒状に形成され、その略中央部にリール取付脚載置面１０１がリール９の取付脚９１（図３参照）に対応して設けられる。そして、このリールシート本体１０には、一対のフード、例えば固定フード１２及び移動フード１３が上記リール取付脚載置面１０１を挟んで設けられる。
【００１１】
固定フード１２は、上記リール取付脚載置面１０１に位置決めされて配され、脚挿入部１２１が上記リール９の取付脚９１の一方端に対応して設けられる。この脚挿入部１２１の外壁部には、図４乃至図６に示すようにカバー収容凹部１２２が設けられ、このカバー収容凹部１２２には、位置規制手段を構成する、例えば一対の凹部１２３が、竿軸を挟んで設けられる。そして、このカバー収容凹部１２２には、例えば装飾及び保護機能を有するカバー部材１４が収容されて接着剤を用いて接着される。
【００１２】
このカバー部材１４は、例えば金属材料や、樹脂材料で図７に示すように上記カバー収容凹部１２２に内装されるように湾曲した所定形状に形成されて、塗装やメッキが施される。そして、このカバー部材１４の背面側には、位置規制手段を構成する、例えば一対の凸部１４１が上記一対の凹部１２３に対応して設けられる。これにより、カバー部材１４は、固定フード１２のカバー収容凹部１２２に収容され、その一対の凸部１４１を、カバー収容凹部１２２の一対の凹部１２３に収容すると、その周縁部がカバー収容凹部１２２に対して略面一に収容された状態で位置決めがなされ、相互間の高精度な接着が実現される。この状態で、例えばカバー部材１４は、図３に示すように固定フード１２が把持されると、図３に示すように人差し指部が掛かり、魚とのやりとり等の際に、竿軸に対して直交する方向及び竿軸方向に力が加わると、その凸部１４１とカバー収容凹部１２２の凹部１２３の作用により、同方向に移動が規制されて初期位置が確保される。なお、上記凸部１４１は、カバー部材１４に対して、例えば一体的に設けられても良いし、別体に設けるようにしても良い。
【００１３】
また、上記固定フード１２には、滑り止め領域１５が、例えばウレタン系塗装が施されて形成される。この滑り止め領域１５は、リールシート本体１０のリール取付脚載置面１０１に上記リール９の取付脚９１を載置して後述するように該リール９を取付け、該リール９を下向きにして釣り人が固定フード１２を握持して魚とやりとりする状態で、その親指、人差し指、手の平の一部が載置されると共に、指先端部が、周縁部に位置されるように、両周縁がリール取付脚載置面１０１側より竿尻方向に竿軸に対して交叉するように傾斜される所定形状に形成される。これにより、例えば釣り人が投擲を行う際には、該釣り人の親指が、滑り止め領域１５に比して硬質の固定フード１２上に載置され、その安定した投擲動作が可能となる（図３参照）。
【００１４】
さらに、上記滑り止め領域１５には、その両側部に複数の凹部１５１が形成される。この凹部１５１は、上記ウレタン系塗装を施すことで、その内壁に塗料が塗布されることで、その相乗作用により、魚とのやりとりや、投擲の際の手の指、手の平の滑り防止の促進が図れる。
【００１５】
また、上記移動フード１３は、リールシート本体１０に竿軸方向（矢印Ａ、Ｂ方向）に移動自在に組付けられ、調整ナット部材１６を介して矢印Ａ、Ｂ方向に移動して上記固定フード１２に対して接離される。この調整ナット部材１６は、上記リールシート本体１０に設けられる螺子部１０２に螺合調整自在に設けられ（図８参照）、その螺合調整により、上記移動フード１３を矢印Ａ，Ｂ方向に移動調整する。
【００１６】
上記移動フード１３には、図９及び図１０に示すように位置決め及び滑り止めを構成する例えば略楕円形状の複数の挿通孔１３１が竿軸方向に所定の間隔を有して設けられる。この複数の挿通孔１３１としては、その長手方向が竿軸に対して略直交して設けるだけでなく、その他、図１１に示すように竿軸に対して傾斜させた挿通孔１３２を配列するように構成したり、図１２に示すように形状の異なる挿通孔１３３を竿軸に対して傾斜させたり、各種の配列、形状のものを用いて構成することが可能である。
【００１７】
そして、この移動フード１３には、その内壁部に保護部材１７が上記リール９の取付脚９１に対応して取付けられる。この保護部材１７は、例えばナイロン、ＡＢＳ等の硬質の樹脂材料、もしくはゴム、エストラマーのような軟質部材で形成され、その内面で保護部１７１が構成され、その外面に位置規制突部である、複数の凸部１７２が上記移動フード１３の複数の挿通孔１３１に対応して設けられる。そして、この凸部１７２には、先端部に軟質部である滑り止め部１７３が設けられ、この滑り止め部１７３との境界部位である先端が、上記移動フード１３の挿通孔１３１の深さ方向の中間部に位置するように形成されて位置規制として機能される。一方、滑り止め部１７３は、上記保護部材１７の凸部１７２に比して軟質の例えばエストラマー等で、上記凸部１７２上に一体あるいは別体に形成されて設けられ、その先端部が、上記移動フード１３の挿通孔１３１と、例えば図１０に示すように面一に設けられて滑り防止機能を形成する。
【００１８】
これにより、保護部材１７は、移動フード１３内に収容される上記リール９の取付脚９１を保護する保護部として機能し、その凸部１７２が移動フード１３の挿通孔１３１の中間位置に位置されることで、位置規制して抜けを防止する。同時に、保護部材１７は、移動フード１３の挿通孔１３１に略面一に配される滑り止め部１７３により、釣り人が握持した際の手の滑りを防止して手に馴染んだ握持を実現する。
【００１９】
なお、上記竿管１１は、例えば炭素繊維等の強化繊維にエポキシ樹脂等の合成樹脂を含浸した繊維強化プリプレグ（以下の説明では、単にプリプレグと称する）を周方向、軸方向あるいは軸線に対して適宜角度に傾斜した偏向方向に引き揃えて巻回し、これらの複数の本体層を積層した中空竿管で形成される。なお、この釣竿構造としては、上記振出式、並継ぎ式あるいは印籠継ぎ式等の他の適宜の継合形式に適用することが可能である。
【００２０】
上記リールシート本体１０は、竿管１１の所定の位置に外装されて配され、上記リールを取り付ける場合、先ず、そのリール９の取付脚９１の一方端を固定フード１２の脚挿入部１２１に挿入した状態で、該リール９の取付脚９１をリール取付脚載置面１０１に載置する。続いて、調整ナット部材１６を締め付けて移動フード１３を竿軸先端方向に移動させて、該移動フード１３を上記リール９の取付脚９１の他方の端部に保護部材１７の保護部１７１を介して係止させ、該移動フード１３と上記固定フード１２とで協働して上記リール９の取付脚９１を位置決め保持する。ここで、リール９は、その取付脚９１がリールシート本体１０のリール取付脚載置面１０１上に取付け配置され、所望の固定フード１２の滑り止め領域１５及び移動フード１３の一部を握持して魚とのやりとりや、投擲等が行われる。
【００２１】
このように、上記リールシートは、移動フード１３におけるリールシート本体１０のリール取付脚載置面１０１に複数の挿通孔１３１を設けると共に、移動フード１３にリール９の取付脚９１に当接される保護部１７１、及び先端に滑り止め部１７３を有した複数の凸部１７２が設けられる保護部材１７を内装して、その凸部１７２を移動フード１３の挿通孔１３１に挿入させるようにして、その保護部１７１で、装着されたリール９の取付脚９１を保護すると共に、その凸部１７２で移動フード１３の挿通孔１３１に対して位置規制して抜け防止を実行し、且つ、その滑り止め部１７３で握持時における滑りを防止して手に馴染む握持を可能に構成した。
【００２２】
これによれば、保護部材１７の滑り止め部１７３の設けられた凸部１７２を、移動フード１３の挿通孔１３１に挿入するだけの構成で、保護部材１７の位置規制と滑り止めの双方の機能が実現され、構成部品点数の軽減を図ることができる。
【００２３】
なお、上記実施の形態では、保護部材１７の凸部１７２の先端の滑り止め部１７３を移動フード１３の挿通孔１３１に対して略面一になるように設けて構成した場合で説明したが、これに限ることなく、その他、図１３に示すように滑り止め部１７３を移動フード１３の挿通孔１３１より突出させて設けるように構成しても良く、さらに良好な効果が期待される。
【００２４】
また、上記実施の形態では、リールシート構造として、固定フード１２を竿軸先端部側に配する構成のものに適用した場合で説明したが、これに限ることなく、移動フード１３を竿軸先端部側に配し、竿尻側に固定フード１２を配する構成のものにおいても適用可能である。さらに、固定フード１２及び移動フード１３の双方に設けるようにしても良い。
【００２５】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００２６】
例えば実施形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００２７】
【図１】この発明の一実施の形態に係るリールシートを側面から見た状態を示した平面図である。
【図２】図１をリール取付脚載置面側より見た状態を示した平面図である。
【図３】握持した状態を示した平面図である。
【図４】図１の固定フードを取り出して示した図である。
【図５】図１の固定フードを取り出して図４と異なる方向から見た状態を示した図である。
【図６】図１の固定フードを取り出して図４及び図５と異なる方向から見た状態を示した図である。
【図７】図１のカバー部材を取り出して示した図である。
【図８】図１のリールシート本体と固定フードとの組合わせ状態を示した平面図である。
【図９】図１の移動フードを取り出して示した平面図である。
【図１０】図１の移動フードを一部断面して示した一部断面図である。
【図１１】図９の挿通孔の変形例を示した図である。
【図１２】図９の挿通孔の変形例を示した図である。
【図１３】この発明の他の実施の形態に係るリールシートの移動フードを取り出して示した一部断面図である。
【符号の説明】
【００２８】
９…リール、９１…取付脚、１０…リールシート本体、１０１…リール取付脚載置面、１０２…螺子部、１１…竿管、１２…固定フード、１２１…脚挿入部、１２２…カバー収容凹部、１２３…凹部、１３…移動フード、１３１，１３２，１３３…挿通孔、１４…カバー部材、１４１…凸部、１５…滑り止め領域、１５１…凹部、１６…調整ナット部材、１７…保護部材、１７１…保護部、１７２…凸部、１７３…滑り止め部。
【図１】
2005185194.tif 000003
【図２】
2005185194.tif 000004
【図３】
2005185194.tif 000005
【図４】
2005185194.tif 000006
【図５】
2005185194.tif 000007
【図６】
2005185194.tif 000008
【図７】
2005185194.tif 000009
【図８】
2005185194.tif 000010
【図９】
2005185194.tif 000011
【図１０】
2005185194.tif 000012
【図１１】
2005185194.tif 000013
【図１２】
2005185194.tif 000014
【図１３】
2005185194.tif 000015